(57)【要約】【課題】光透過性を有する合成樹脂からなる板状構造体に設けられた電気部品の裏機構を隠す。【解決手段】始動入賞部品２４の部品側取付足３９が板状構造体４の貫通孔３４に挿入され、遮蔽体３５の遮蔽側取付足５６の突起５８が板状構造体４の貫通孔３４に挿入された後、止ねじ６１の胴体６２が遮蔽体３５の裏側から頭収納部５９とねじ挿入孔６０とを経由してねじ取付孔４０に挿入されて部品側取付足３９に締結され、止ねじ６１の頭部６３が頭収納部５９の前壁におけるねじ挿入孔６０の周りの裏面に接触し、始動入賞部品２４と遮蔽体３５とが、板状構造体４を前後から挟む格好で、板状構造体４に、止ねじ６１で、取り付けられると、始動入賞部品２４における板状構造体４から裏側に突出する駆動機構と始動入賞球検出器と検出器係合部および球出口部などの裏機構が、遮蔽体３５で、遊技盤１の前側から見えなくなる。【選択図】図１
2005198956.tif 000002
【特許請求の範囲】
【請求項１】
遊技部品を光透過性の有る合成樹脂からなる板状構造体に取り付けたパチンコ機の遊技盤において、板状構造体の裏面には、遊技部品の板状構造体から裏側に突出する裏機構を隠す遮蔽体が設けられたことを特徴とするパチンコ機の遊技盤。
【請求項２】
遮蔽体と遊技部品とが共通の固定具で板状構造体に取り付けられたことを特徴とする請求項１記載のパチンコ機の遊技盤。
【請求項３】
遊技部品が裏面に突出する部品側取付足を備え、遮蔽体が前面に突出する遮蔽側取付足を備え、板状構造体が前後方向への貫通孔を備え、部品側取付足が板状構造体の前面から貫通孔に挿入され、遮蔽側取付足が板状構造体の裏面から貫通孔に挿入され、部品側取付足と遮蔽側取付足とが互いに貫通孔の内部において止ねじで締結されたことを特徴とする請求項１記載のパチンコ機の遊技盤。
【請求項４】
止ねじが遮蔽側取付足から部品側取付足に締結され、止ねじの先端が遊技部品の前面に突出することなく遊技部品で覆われたことを特徴とする請求項１記載のパチンコ機の遊技盤。
【発明の詳細な説明】
【技術分野】
【０００１】
本発明は、光透過性を有する合成樹脂からなる板状構造体に設けられた電気部品の裏機構を隠したパチンコ機の遊技盤に関する。
【背景技術】
【０００２】
パチンコ機やスロットマシンなどの遊技機には、遊技機枠の下部に液晶表示器を使用したプロジェクターと呼ばれる投影機を配置し、遊技機枠の上部に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写し、スクリーンに映し出された画像がスクリーンの前側に配置した光透過性を有する合成樹脂からなる遊技盤を通して遊技者に見せる構造のものが知られている。しかしながら、遊技盤の前面に設けた遊技部品の遊技盤から裏側に突出する裏機構が遊技盤の前側から見えてしまうという欠点がある。とりわけ、遊技部品の裏機構が球検出器を含む場合、心無い少数の遊技者が、パチンコ機の前側から球検出器の存在を確認し、ピアノ線や帯状の合成樹脂体などの不正操作部材をパチンコ機の前側から内部に挿入して球検出器を動作させる不正行為を行うという問題もある。
【特許文献１】特開平８−９８９２９号公報
【発明の開示】
【発明が解決しようとする課題】
【０００３】
発明が解決しようとする問題点は、光透過性を有する合成樹脂で遊技盤を形成した場合、遊技盤の前面に設けた遊技部品の遊技盤から裏側に突出する裏機構が見えてしまうという点である。
【課題を解決するための手段】
【０００４】
本発明に係るパチンコ機の遊技盤は、遊技部品を光透過性の有る合成樹脂からなる板状構造体に取り付けたパチンコ機の遊技盤において、板状構造体の裏面には、遊技部品の板状構造体から裏側に突出する裏機構を隠す遮蔽体が設けられたことを最も主要な特徴とする。遮蔽体と遊技部品とが共通の固定具で板状構造体に取り付けられたり、遊技部品が裏面に突出する部品側取付足を備え、遮蔽体が前面に突出する遮蔽側取付足を備え、板状構造体が前後方向への貫通孔を備え、部品側取付足が板状構造体の前面から貫通孔に挿入され、遮蔽側取付足が板状構造体の裏面から貫通孔に挿入され、部品側取付足と遮蔽側取付足とが互いに貫通孔の内部において止ねじで締結されたり、止ねじが遮蔽側取付足から部品側取付足に締結され、止ねじの先端が遊技部品の前面に突出することなく遊技部品で覆われたりすることも特徴とする。
【発明の効果】
【０００５】
本発明に係るパチンコ機の遊技盤は、遊技部品を光透過性の有る合成樹脂からなる板状構造体の裏面に、遮蔽体を設けたことによって、遮蔽体が遊技部品の板状構造体から裏側に突出する裏機構を隠し、遊技部品の裏機構が遮蔽体で遊技盤の前側から見えなくなるという利点がある。遊技部品と遮蔽体とが共通の固定具で板状構造体に取り付けられれば、固定具の個数が減るとともに取付作業も容易となるという利点がある。遊技部品が裏面に突出する部品側取付足を備え、遮蔽体が前面に突出する遮蔽側取付足を備え、板状構造体が前後方向への貫通孔を備え、部品側取付足が板状構造体の前面から貫通孔に挿入され、遮蔽側取付足が板状構造体の裏面から貫通孔に挿入され、部品側取付足と遮蔽側取付足とが互いに貫通孔の内部において止ねじで締結されれば、部品側取付足と遮蔽側取付足とが互いに貫通孔に挿入されることによって、遊技部品と遮蔽体との取付位置が合い、遊技部品と遮蔽体との取付が適切になるという利点がある。止ねじが遮蔽側取付足から部品側取付足に締結され、止ねじの先端が遊技部品の前面に突出することなく遊技部品で覆われれば、止ねじが、遊技部品の前側から見えなくなるという利点がある。
【発明を実施するための最良の形態】
【０００６】
図１−図５は、一実施形態である。図１のａ図は、始動入賞部品２４と遮蔽体３５とが板状構造体４に止ねじ６１で取り付けられる以前の形態を示す。図１のｂ図は、始動入賞部品２４と遮蔽体３５とが板状構造体４に止ねじ６１で取り付けられた以後の形態を示す。図２は、部品取付構造を裏側から分解して示す。図３は、遊技盤１を前側から示す。図４は、パチンコ機の遊技機枠７５に遊技盤１を取り付ける場合を前側から分解して示す。図５は、パチンコ機の遊技盤１と映写装置７０と遊技機枠７５との関係を示す。
【０００７】
図３を参照し、パチンコ機における遊技盤１の前側の構造について説明する。遊技盤１は、非遊技領域を形成する遮光性の有る有色な合成樹脂からなる方形な周辺飾り構造体２と、遊技領域３を形成する光透過性を有する合成樹脂からなる板状構造体４とを備える。周辺飾り構造体２は、盤側取付部５と丸形開口部６と発射通路７と外バンド８と内バンド９とアウト口周縁部１０と周辺飾り部１１と戻り球防止体１２と球反発体１３と証紙台１４および不正防止バンド１５を備える。盤側取付部５は、遊技盤１を図４に示す遊技機枠７５に固定するためのものであって、周辺飾り構造体２と別材質の合成樹脂からロック挿入孔１６を備える形態に形成され、周辺飾り構造体２の右側に位置する上下隅部に、周辺飾り構造体２の裏側から図外のタッピングスクリューのような止ねじで取り付けられる。
【０００８】
丸形開口部６と内バンド９およびアウト口周縁部１０は、周辺飾り構造体２を合成樹脂で成形する場合に、周辺飾り構造体２と一緒に形成される。丸形開口部６は、周辺飾り構造体２の中央に、前後方向に貫通する。発射通路７は、丸形開口部６の左側部に沿う縦長な形状である。外バンド８は、ステンレスのような金属からなる帯板状であって、発射通路７の左側部から丸形開口部６の上部弧状縁部に沿う上方に凸となる弧状となって、周辺飾り構造体２の前面から前側に突出するように、周辺飾り構造体２に取り付けられる。内バンド９は、発射通路７の右側部から丸形開口部６の下部弧状縁部に沿う、下方に凸となる弧状となって、周辺飾り構造体２の前面から前側に突出する。アウト口周縁部１０は、内バンド９における下部弧状縁部の最下部において、アウト口１７を囲むように、内バンド９から丸形開口部６の内側に突出した格好に連接される。アウト口１７は、球を遊技盤１の前側から裏側に排出する孔である。
【０００９】
周辺飾り部１１は、内バンド９から外側に連接された意匠部である。証紙台１４は、周辺飾り構造体２と別材質の合成樹脂から形成され、周辺飾り構造体２の右側の下部に、図外の軸で、前後方向に開閉可能に取り付けられる。証紙台１４が、周辺飾り構造体２との連結部である図外の軸を開閉中心として前方に開かれることによって、下部の盤側取付部５が、周辺飾り構造体２の前側から見える格好となる。そして、証紙台１４が、上記軸を開閉中心として後方に閉じられ、証紙台１４が、周辺飾り構造体２の証紙台受部１８で受け止められることによって、盤側取付部５が、証紙台１４で覆われて周辺飾り構造体２の前側から見えなくなる。証紙台受部１８は、周辺飾り構造体２を合成樹脂で成形する場合に、周辺飾り構造体２と一緒に形成される。閉じられた証紙台１４の前面には、図外の証紙が、貼り付けられる。証紙は、遊技盤１が、図外の組合の検査に合格して販売の認可を受けたことを証明するためのものである。
【００１０】
戻り球防止弁１２は、外バンド８よりも厚さの薄い薄帯板状のステンレスまたは弾性体により形成される板ばねである。戻り球防止弁１２の一端部が、周辺飾り構造体２における内バンド９の発射通路７の球出口に位置する端部に取り付けられた場合、戻り球防止弁１２は、内バンド９から外バンド８の方向に位置する先端部に行くに従って、発射通路７の出口から遊技領域３の側に徐々に傾斜する格好になる。戻り球防止弁１２の先端は、外バンド８の遊技領域３の側に位置する内側面に接触するかまたは接触する程度に近づいていればよい。この接触する程度は、戻り球防止弁１２の先端と外バンド８の内側面との間に１個の球の直径よりも小さい隙間が存在し、遊技領域３から外バンド８の内側面に沿って発射通路７の側に逆行する球が、上記戻り球防止弁１２の先端と外バンド８の内側面との間に引っかかることなく通過することもできない範囲であればよい。
【００１１】
発射機構８８（図４参照）から発射された球が、発射通路７から戻り球防止弁１２を押し開けることによって、戻り球防止弁１２の先端部が、外バンド８から離れるように、戻り球防止弁１２の内バンド９に取り付けられた一端部を基準として、戻り球防止弁１２が、全体的に遊技領域３の側に弾性変形する。そして、戻り球防止弁１２を押し開けた球が、戻り球防止弁１２から遊技領域３の側に離れることによって、戻り球防止弁１２の先端部が、外バンド８に近づくように、戻り球防止弁１２が、全体的に図３に示す形態に復元する。このように戻り球防止弁１２が、復元した形態において、発射通路７から遊技領域３に発射された球が、遊技領域３から発射通路７の側に逆行してきた場合、当該球が、戻り球防止弁１２に衝突し、戻り球防止弁１２が、当該球を遊技領域３から発射通路７に取り込まれることを防止して遊技領域３に跳ね返す。
【００１２】
球反発体１３は、ゴム又は合成樹脂からなる衝撃吸収体であって、周辺飾り部１１における丸形開口部６と連接される端部に、周辺飾り構造体２の裏面から取り付けられることによって、球反発体１３の先端部が丸形開口部６の内部に突出する。そして、発射通路７から外バンド８に沿って発射された球が、丸形開口部６の内部に突出した球反発体１３の先端部に衝突すると、球反発体１３が衝突した球を丸形開口部６で囲まれた遊技領域３の中央の方向に跳ね返す。不正防止バンド１５は、周辺飾り構造体２と別材質の合成樹脂から形成され、周辺飾り構造体２の下部に、左右方向に延長した形状に取り付けられる。そして、図４に示すパネル枠９３が、閉じられることによって、不正防止バンド１５が、図４に示すガラスからなる前面パネル９４の内側面（遊技盤１の側に位置する面）に接触し、遊技者が、ピアノ線や合成樹脂製薄帯板などの不正操作部材を遊技領域３よりも下方の図４に示す遊技機枠７５の前側から遊技機枠７５の前面構成部品間の隙間を経由して遊技領域３に挿入しようとした場合、前面パネル９４の内側面に接触した不正防止バンド１５が、不正操作部材を受け止めて不正操作部材の遊技領域３への侵入を防止する。
【００１３】
板状構造体４は、周辺飾り構造体２の発射通路７を除く丸形開口部６で囲まれる遊技領域３を形成する、無色の光透過性を有する合成樹脂からなるものである。板状構造体４の前面には、センター飾り２１、一般入賞部品２２、作動入賞部品２３、始動入賞部品２４、可変入賞部品２５、遊技釘２６、風車２９などの遊技部品が、遊技領域３に位置して、取り付けられる。一般入賞部品２２は、球を遊技領域３から取り込み、当該取り込んだ球を遊技領域３の裏側に排出する、取込形である。一般入賞部品２２の内部には図外の一般入賞球検出器を備える。左右の一般入賞部品２２には、同じ符号を付したが、左の一般入賞部品２２の形と右の一般入賞部品２２の形とは、左右対称である。作動入賞部品２３は、球を遊技領域３から取り込み、当該取り込んだ球を遊技領域３の裏側に取り込むことなく、遊技領域３に排出する、通過形である。作動入賞部品２３の内部には、図外の作動入賞球検出器を備える。左右の作動入賞部品２３には、同じ符号を付したが、左の作動入賞部品２３の形と右の作動入賞部品２３の形とは、左右対称である。
【００１４】
始動入賞部品２４は、一対の羽根２７の下部を開閉軸とし、一対の羽根２７を図外の始動駆動源で左右方向に開閉する電動チューリップと呼ばれる構造である。始動入賞部品２４は、球を遊技領域３から取り込み、当該取り込んだ球を遊技領域３の裏側に排出する、取込形である。始動入賞部品２４の左右一対の羽根２７は、閉じた場合でも、球を受け入れ得る形態、受け入れない形態のいずれでも適用できる。始動入賞部品２４の内部には、図２に示す始動入賞球検出器３８を備える。可変入賞部品２５は、横長な長方形状の開閉体２８の下部を開閉軸とし、開閉体２８を図外の可変駆動源で前後方向に開閉するアタッカーまたは大入賞口と呼ばれる構造である。可変入賞部品２５の開閉体２８で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品２５の球受入部に取り込まれた球は、普通入賞球検出器または特定入賞球検出器を通過した後に遊技盤１の裏側に排出される。よって、可変入賞部品２５は、取込形である。風車２９は、頭付釘のような軸３０が板状構造体４の遊技領域３から内部に打ち込まれることによって、板状構造体４に、回転可能に取り付けられる。周辺飾り構造体２の下部には、アウト球逃部３１が、可変入賞部品２５の真下の位置に、周辺飾り構造体２の下端面から内部に窪むとともに前後方向に貫通する窪み形状で、設けられる。そして、図４に示すように、センター飾り２１と一般入賞部品２２と作動入賞部品２３と始動入賞部品２４と可変入賞部品２５および遊技釘２６を備えた板状構造体４が、板状構造体４の前面が前側に向けられた格好で、周辺飾り構造体２の裏面から内部に形成された図外の遊技主体収納部に収納され、タッピングスクリューのような図外の止ねじが、板状構造体４から周辺飾り構造体２に締結されることによって、板状構造体４が、周辺飾り構造体２に取り付けられることによって、遊技盤１が図４に示す形態に形成される。
【００１５】
図２を参照し、始動入賞部品２４を遊技部品の例とし、始動入賞部品２４と板状構造体４と遮蔽体３５との取付構造について説明する。板状構造体４は、裏機構逃部３３と裏機構逃部３３の左右に貫通孔３４とを備える。裏機構逃部３３および貫通孔３４は、板状構造体４の前後方向に貫通する孔である。裏機構逃部３３の孔径は、始動入賞部品２４に設けられた駆動機構３７と始動入賞球検出器３８と検出器係合部４３および球出口部４６を挿入し得る大きさである。貫通孔３４の孔径は、始動入賞部品２４に設けられた部品側取付足３９を挿入し得る大きさである。
【００１６】
始動入賞部品２４は、取付基板３６と駆動機構３７および始動入賞球検出器３８を備える。取付基板３６は、裏機構逃部３３と左右の貫通孔３４を塞ぐ大きさであって、始動入賞部品２４を板状構造体４に取り付けるための部分である。取付基板３６の裏面は、板状構造体４における裏機構逃部３３の周囲の前面に接触して重ね合わされる。取付基板３６の左右側部の上下方向中間部には、部品側取付足３９が、取付基板３６の裏面から裏側に突出する形態に設けられる。部品側取付足３９の中央部には、ねじ取付孔４０が、部品側取付足３９の裏面から内部に窪む行き止まり孔として形成される。駆動機構３７は、羽根２７を駆動する機構であって、電磁ソレノイドのような始動駆動源と、始動駆動源におけるプランジャのような出力体と羽根２７とを連結する連結機構とを備える。駆動機構３７は、左右の部品側取付足３９の間に位置し、取付基板３６の裏面に設けられる。取付基板３６における駆動機構３７の真下には、球検出収納部４１が、取付基板３６の裏面と取付基板３６の前面から前側にポケット形状に突出する入賞孔部４２の内部に形成された入賞孔とに貫通する形態に形成される。
【００１７】
取付基板３６の裏面における球検出収納部４１の周りには、検出器係合部４３が、取付基板３６の裏面から裏側に突出する。検出器係合部４３の先端にはフック４４を備える。そして、始動入賞球検出器３８の一端部に設けられた図外の球検出孔が、入賞孔部４２の入賞孔と同軸となるように、始動入賞球検出器３８が、取付基板３６の裏側から球検出収納部４１に収納されると、検出器係合部４３のフック４４が、始動入賞球検出器３８の他端部における一隅部を裏側から抱え持つように、始動入賞球検出器３８に係合する。これによって、始動入賞球検出器３８が、取付基板３６に取り付けられる。始動入賞球検出器３８は、取付基板３６よりも裏側に突出した裏面に、コネクタ４５を備える。コネクタ４５は、図外の配線に結線されたコネクタを接続するためのものである。取付基板３６の裏面における球検出収納部４１の真下には、入賞孔部４２の入賞孔から球を取付基板３６の裏側に排出する球出口部４６が、取付基板３６の裏面から裏側に突出する。始動入賞部品２４が板状構造体４に取り付けられた場合、駆動機構３７と始動入賞球検出器３８と検出器係合部４３および球出口部４６が、始動入賞部品２４の板状構造体４から裏側に突出する裏機構である。少なくとも、取付基板３６と部品側取付足３９とねじ取付孔４０と球検出収納部４１と検出器係合部４３とフック４４および球出口部４６は、取付基板３６を遮光性の有る合成樹脂で成形型を用いて成形する場合に、一緒に、形成される。
【００１８】
遮蔽体３５は、遊技部品の板状構造体から裏側に突出する裏機構を隠すものであって、遮光性の有る例えば黒色の合成樹脂により形成される。遮蔽体３５は、遮蔽本体５１および左右の遮蔽腕部５２と備える。遮蔽本体５１は、始動入賞部品２４の部品側取付足３９の間における取付基板３６の上方の部分と対応する大きさの外形であって、中央部に開口部５３を備える。開口部５３は、駆動機構３７を取り込むことによって、駆動機構３７の周囲を覆う形状である。開口部５３を囲む遮蔽本体５１の両側部５４は、開口部５３の下部に連なる切除部５５で、左右に分断される。左右の遮蔽腕部５２は、遮蔽本体５１の上部から遮蔽本体５１と離れるように横方外側に突出した後に下方に延びた形態である。左右の遮蔽腕部５２の下部には、遮蔽側取付足５６が設けられる。左右の遮蔽側取付足５６は、台座５７と突起５８と頭収納部５９およびねじ挿入孔６０を個別に備える。台座５７は、遮蔽腕部５２から横方外側に突出し、板状構造体４の貫通孔３４を塞ぐ大きさの板状である。突起５８は、台座５７の前面中央から前側に突出し、板状構造体４の貫通孔３４に挿入される大きさである。つまり、台座５７の外径が、突起５８の外径よりも大きい。よって、台座５７の前面は、突起５８の全外周を囲む環状になっている。
【００１９】
図１のａ図にも示すように、頭収納部５９は、タッピングスクリューのような止ねじ６１の雄ねじの形成された胴体６２の一端に形成された頭部６３を挿入し得る大きさで、台座５７の裏面から突起５８の内部にまで窪む行き止まり孔である。頭収納部５９における台座５７の前面からの深さＤ１は、止ねじ６１の頭部６３の高さＴ１よりも深い（Ｄ１＞Ｔ１）。ねじ挿入孔６０は、頭収納部５９の行き止まりとなった前壁の中央に、止ねじ６１の胴体６２を挿入し得る大きさに形成される、前後方向に貫通する孔である。突起５８における台座５７の前面からの突出寸法Ｈ１と部品側取付足３９における取付基板３６の裏面からの突出寸法Ｈ２との総和寸法Ｈ３（Ｈ３＝Ｈ１＋Ｈ２）は、板状構造体４における貫通孔３４の周りの厚さＴ２よりも小さい（Ｈ３＜Ｔ２）。
【００２０】
図１のｂ図および図２を参照し、始動入賞部品２４と遮蔽体３５とを板状構造体４に取り付ける場合について説明する。図２において、始動入賞部品２４における取付基板３６の裏面が、板状構造体４の前面に向けられ、部品側取付足３９が、板状構造体４の貫通孔３４に挿入される一方、取付基板３６から裏側に突出した駆動機構３７と始動入賞球検出器３８と検出器係合部４３および球出口部４６が、板状構造体４の裏機構逃部３３に挿入される。遮蔽体３５における遮蔽本体５１の前面が、板状構造体４の裏面に向けられ、両側部５４が切除部５５から板状構造体４よりも裏側に突出した駆動機構３７を遮蔽本体５１の開口部５３に取り込むことによって、遮蔽本体５１が駆動機構３７における板状構造体４の側を囲む一方、遮蔽側取付足５６の突起５８が、板状構造体４の貫通孔３４に挿入される。
【００２１】
その後、図１のｂ図に示すように、止ねじ６１の胴体６２が、遮蔽体３５の裏側から頭収納部５９とねじ挿入孔６０とを経由して始動入賞部品２４のねじ取付孔４０で部品側取付足３９に締結されることによって、止ねじ６１の頭部６３が頭収納部５９の前壁におけるねじ挿入孔６０の周りの裏面に接触し、始動入賞部品２４と遮蔽体３５とが、板状構造体４を前後から挟む格好で、板状構造体４に、止ねじ６１で、取り付けられる。この止ねじ６１が締結される場合、部品側取付足３９と遮蔽側取付足５６との間に存在する隙間６４が狭くなればなるほど、取付基板３６の裏面と遮蔽体３５の前面とが、板状構造体４に、一層、接触する。
【００２２】
実施形態の構造によれば、図２において、遊技部品たる始動入賞部品２４と遮蔽体３５とが、光透過性の有る合成樹脂からなる板状構造体４を前後から挟む格好で、板状構造体４に、止ねじ６１で、取り付けられることによって、始動入賞部品２４における板状構造体４から裏側に突出する裏機構としての、駆動機構３７と始動入賞球検出器３８と検出器係合部４３および球出口部４６が、遮蔽体３５で、隠される。よって、図３に示すように、始動入賞部品２４が遊技盤１の板状構造体４に取り付けられた場合、上記始動入賞部品２４の裏機構が、遮蔽体３５で、遊技盤１の前側から見えなくなるという利点がある。特に、始動入賞部品２４のように裏機構に、始動入賞球検出器３８のような球検出器を含む場合には、遊技盤１の前側から始動入賞球検出器３８の存在を確認することができなくなるので、心無い少数の遊技者による始動入賞球検出器３８を誤動作させる不正行為を防止することができるという利点がある。
【００２３】
図１のｂ図に示すように、始動入賞部品２４と遮蔽体３５とが、共通の固定具である止ねじ６１で、板状構造体４に、取り付けられているので、始動入賞部品２４と遮蔽体３５とを板状構造体４に取り付けるための止ねじ６１の個数が減るとともに取付作業も容易となるという利点がある。始動入賞部品２４が裏面に突出する部品側取付足３９を備え、遮蔽体３５が前面に突出する遮蔽側取付足５６を備え、板状構造体４が前後方向への貫通孔３４を備え、部品側取付足３９が板状構造体４の前面から貫通孔３４に挿入され、遮蔽側取付足５６が板状構造体４の裏面から貫通孔３４に挿入され、部品側取付足３９と遮蔽側取付足５６とが互いに貫通孔３４の内部において止ねじ６１で締結されているので、部品側取付足３９と遮蔽側取付足５６とが互いに貫通孔３４に挿入されることによって、始動入賞部品２４と遮蔽体３５との取付位置が合い、始動入賞部品２４と遮蔽体３５との取付が適切になるという利点がある。始動入賞部品２４と遮蔽体３５とが、板状構造体４を前後から挟む格好で、板状構造体４に、遮蔽体３５の裏側から遮蔽側取付足５６を経由して始動入賞部品２４の部品側取付足３９に締結された止ねじ６１で、取り付けられており、止ねじ６１の先端が、始動入賞部品２４の内部に閉じ込められているので、止ねじ６１が始動入賞部品２４の前側から見えなくなるという利点がある。
【００２４】
図４および図５を参照し、遊技盤１を用いたパチンコ機について説明する。映写装置７０が、遮光性合成樹脂からなる前側に開放した箱形の装置筐体７１に、投影機７２、反射鏡７３、スクリーン７４を組み付けた、ユニットと呼ばれる単一構造体として形成される。この映写装置７０のスクリーン７４が遊技機枠７５における可動枠７６の裏側からの中央開口部７７に収納され、スクリーン７４の前面が遊技機枠７５における遊技主体収納室７８の裏壁の前面と同一面内に位置される。そして、映写装置７０が遊技機枠７５における遊技主体収納構造体７９の裏壁の裏面に取り付けられることによって、映写装置７０が可動枠７６に取り付けられる。また、遊技盤１の遊技領域３が前側に向けられ、遊技盤１が遊技機枠７５の前側から遊技主体収納室７８に挿入され、遊技盤１の下部が遊技機枠７５における遊技主体棚８０の上に載せられ、遊技盤１の左側部が遊技機枠７５の遊技主体受部８１および遊技主体押圧部８２で前後方向から挟まれた後、遊技盤１の右側部が後側に押され、遊技機枠７５における遊技主体ロック部材８３のロック操作体８４が遊技盤１の盤側取付部５のロック挿入孔１６に後側から挿入されて前側に突出した状態において、作業者がロック操作体８４を例えば右方向に９０度回転操作すると、ロック操作体８４がロック挿入孔１６の周りにおける盤側取付部５と係合し、遊技盤１が可動枠７６に取り付けられる。遊技盤１が可動枠７６に取り付けられた場合、一般入賞部品２２と始動入賞部品２４および可変入賞部品２５は、映写装置７０における装置筐体７１のスクリーン７４よりも下部に位置する前壁と対応する。遊技盤１が取り付けられた後、可動枠７６が閉じられるとともに、遊技機枠７５における前面の球皿構造体８５が閉じられる。
【００２５】
その状態において、球が球皿構造体８５の球収納部８６に入れられた状態において、遊技者が遊技機枠７５の前面の発射操作機構８７を操作すると、遊技機枠７５の発射機構８８が球収納部８６から供給された球を１個ずつ発射操作機構８７の操作量に応じた発射力で遊技盤１の遊技領域３に発射する。遊技領域３に発射された球は、センター飾り２１や遊技釘２６または風車２９で流れを変えられるとともに、一般入賞部品２２と作動入賞部品２３および始動入賞部品２４のいずれかに入賞する。また、始動入賞部品２４への入賞の結果として可変入賞部品２５の開閉体２８が開閉し、この開閉体２８の開放中において、遊技領域３から球が可変入賞部品２５に入賞する。これらの入賞の結果として、遊技機枠７５の払出機構８９が遊技機枠７５の裏側から遊技機枠７５の前側の球収納部８６に賞球としての球を払い出す。
【００２６】
図５を参照し、遊技盤１および映写装置７０が遊技機枠７５に組み込まれたパチンコ機について説明する。投影機７２の液晶表示器９０が電気的に画像を表示し、投影機７２のＬＥＤのような投影光源９１が電気的に光を画像の表示されている液晶表示器９０に照射し、その投影光Ｌが投影機７２の投影レンズ９２で拡大され、その拡大された投影光Ｌが反射鏡７３で前側に反射してスクリーン７４の全域に上記液晶表示器９０で表示された画像を拡大して映写し、遊技機枠７５の前側から遊技者がスクリーン７４に映し出された画像を遊技機枠７５の閉じられたパネル枠９３の前面パネル９４と遊技盤１の丸形開口部６および光透過性を有する合成樹脂からなる板状構造体４を通して見ることをできる。これによって、遊技者は、スクリーン７４に映し出された画像を遊技領域３の全域に見ながら遊技領域３に行き交う球の動きを見ることができる。
【産業上の利用可能性】
【００２７】
図１において、遮蔽側取付足５６および部品側取付足３９の少なくも一方の外周面の全部が、貫通孔３４の内周面に内接嵌合する形態であれば、始動入賞部品２４と遮蔽体３５とが、板状構造体４に、一層、正確な位置で取り付けられる。止ねじ６１を、遮蔽側取付足５６の裏面または部品側取付足３９の前面の一方から突出した凸部と他方に窪む凹部とからなる固定具で、置換してもよい。遊技部品は、センター飾り２１、一般入賞部品２２、作動入賞部品２３、可変入賞部品２５、図外のサイドランプ、図外の飾りなどであってもよい。
【図面の簡単な説明】
【００２８】
【図１】部品取付構造を示す断面図（一実施形態）。
【図２】部品取付構造を裏側から示す分解斜視図（同実施形態）。
【図３】遊技盤を前側から示す分解斜視図（同実施形態）。
【図４】パチンコ機を前側から示す分解斜視図（同実施形態）。
【図５】遊技盤と映写装置と遊技機枠との関係を示す模式図（同実施形態）。
【符号の説明】
【００２９】
１  遊技盤、２  周辺飾り構造体、４  板状構造体、２４  始動入賞部品、
３３  裏機構逃部、３４  貫通孔、３５  遮蔽体、３７  駆動機構、
３８  始動入賞球検出器、３９  部品側取付足、５６  遮蔽側取付足、
６１  止ねじ。
【図１】
2005198956.tif 000003
【図２】
2005198956.tif 000004
【図３】
2005198956.tif 000005
【図４】
2005198956.tif 000006
【図５】
2005198956.tif 000007